(57)【要約】【課題】一般ユーザが容易且つ確実に地域設定を行うことが可能なネットワーク通信装置およびその地域設定方法を提供する。【解決手段】マルチファンクション装置のファクシミリ通信機能の地域設定を行う方法として、ユーザがＵＩ部から入力した国コードに基づいて国設定を行う方法、ユーザがサービスセンターに電話してユーザ登録を行う、またはＰＣ等からマルチファンクション装置のメーカーサイトにアクセスしてユーザ登録を行うことで、サービスセンターからソフトキーがユーザに通知され、ユーザがＵＩ部から入力したソフトキーに基づいて国設定を行う方法、ネットワークを介してサービスセンター等のサーバから指定国の通信パラメータをダウンロードして国設定を行う方法がある。【選択図】図２
2008011353.tif 000002
【特許請求の範囲】
【請求項１】
地域毎に異なる電話通信規格に対応し、電話回線を介して画像データをファクシミリ通信により送受信するファクシミリ通信装置において、
前記ファクシミリ通信の制御を行うファクシミリ通信制御手段と、
地域毎の電話通信規格に適合する通信パラメータを保管する地域別通信パラメータ保管手段と、
地域を指定する地域指定手段と、
前記地域指定手段で指定された指定地域に対応する通信パラメータを前記地域別通信パラメータ保管手段から取得し、該取得した通信パラメータに基づいて地域設定を行う地域設定手段と
を具備し、
前記ファクシミリ通信制御手段は、
前記地域設定手段による地域設定が完了するまで前記ファクシミリ通信の制御を禁止する
ことを特徴とするファクシミリ通信装置。
【請求項２】
前記地域指定手段に対する地域の指定は、
指定する地域を示すランダムな数字で示された地域コード、または自局電話番号を入力することである
ことを特徴とする請求項１記載のファクシミリ通信装置。
【請求項３】
ネットワークに接続するネットワーク接続手段と、
前記ネットワーク接続手段を介して前記ネットワーク上の外部サーバから指定地域に対応する情報を取得する情報取得手段と
を更に具備し、
前記地域設定手段は、
前記情報取得手段で取得した指定地域に対応する情報に基づいて地域設定を行う
ことを特徴とする請求項１記載のファクシミリ通信装置。
【請求項４】
前記地域設定手段による地域設定の完了後、前記ファクシミリ通信手段にテスト通信を行わせることで正常に前記ファクシミリ通信が行えるかを確認する確認手段
を更に具備することを特徴とする請求項１記載のファクシミリ通信装置。
【請求項５】
地域毎に異なる電話通信規格に対応し、電話回線を介して画像データをファクシミリ通信により送受信するファクシミリ通信装置の地域設定方法において、
前記ファクシミリ通信の制御を行うファクシミリ通信制御手段は
地域設定が完了するまで前記ファクシミリ通信の制御を禁止し、
地域設定手段は、
地域指定手段で指定された指定地域に対応する通信パラメータを地域毎の電話通信規格に適合する通信パラメータを保管する地域別通信パラメータ保管手段から取得し、
前記取得した通信パラメータに基づいて地域設定を行う
ことを特徴とするファクシミリ通信装置の地域設定方法。
【請求項６】
前記地域指定手段に対する地域の指定は、
指定する地域を示すランダムな数字で示された地域コード、または自局電話番号を入力することである
ことを特徴とする請求項５記載のファクシミリ通信装置の地域設定方法。
【請求項７】
情報取得手段は、
ネットワーク接続手段を介してネットワーク上の外部サーバから指定地域に対応する情報を取得し、
前記地域設定手段は、
前記情報取得手段で取得した指定地域に対応する情報に基づいて地域設定を行う
ことを特徴とする請求項５記載のファクシミリ通信装置の地域設定方法。
【請求項８】
確認手段は、
前記地域設定手段による地域設定の完了後、前記ファクシミリ通信手段にテスト通信を行わせることで正常に前記ファクシミリ通信が行えるかを確認する
ことを特徴とする請求項５記載のファクシミリ通信装置の地域設定方法。
【発明の詳細な説明】
【技術分野】
【０００１】
本発明は、ネットワーク通信装置およびその地域設定方法に関し、特に、地域毎に異なる電話通信規格に対応するネットワーク通信装置およびその地域設定方法に関する。
【背景技術】
【０００２】
従来、ファクシミリ通信装置は、電話回線でファクシミリ通信により画像データを送受信する場合、地域毎に電話通信規格が異なるため、地域毎にファクシミリ通信装置として使用するためには、モデムを使用地域の通信規格に適合するように交換しなければならない。即ち、ファクシミリ通信装置を製造する際に、使用地域に適合する電話通信規格に適合するように回路定数が設定されたＮＣＵ基盤に交換して送受信制御のための通信パラメータ（例えば、回路電流検出タイミング、回路電流検出有効時間、回路電流ノイズ最大時間等）を変更する必要があった。
【０００３】
そこで、例えば、各国毎に異なる電話通信規格に適合するように仕様を簡単に変更することができ、網羅すべき国の全ての電話通信規格に対して対応することができるファクシミリ装置がある（例えば、特許文献１参照。）。
【特許文献１】特開平１０−７５３２２号公報
【発明の開示】
【発明が解決しようとする課題】
【０００４】
特許文献１に記載の技術で行われる地域設定は、ファクシミリ通信装置の製造後直に通常一般ユーザが触れないＣＥモード上で専門的な知識を有するＣＥによって行われることが通常であり、地域設定されたファクシミリ通信装置は設定された地域で販売されることになるため問題はなかった。
【０００５】
しかし、例えば、日本で製造されたＵＩが日本語であるファクシミリ通信装置の地域設定は日本になっており、そのファクシミリ通信装置を日本で使用することは何も問題ないのだが、多数の日本人が勤務する日本企業の海外支店において、日本に地域設定されている日本語ＵＩのファクシミリ通信装置を設置する場合、専門的な知識を有していない一般ユーザが地域設定を日本から当該地域に変更する必要があり、一般ユーザが専門的な知識を有する地域設定を行うことは困難である。
【０００６】
そこで、本発明は、一般ユーザが容易且つ確実に地域設定を行うことが可能なネットワーク通信装置およびその地域設定方法を提供することを目的とする。
【課題を解決するための手段】
【０００７】
上記目的を達成するため、請求項１の発明は、地域毎に異なる電話通信規格に対応し、電話回線を介して画像データをファクシミリ通信により送受信するファクシミリ通信装置において、前記ファクシミリ通信の制御を行うファクシミリ通信制御手段と、地域毎の電話通信規格に適合する通信パラメータを保管する地域別通信パラメータ保管手段と、地域を指定する地域指定手段と、前記地域指定手段で指定された指定地域に対応する通信パラメータを前記地域別通信パラメータ保管手段から取得し、該取得した通信パラメータに基づいて地域設定を行う地域設定手段とを具備し、前記ファクシミリ通信制御手段は、前記地域設定手段による地域設定が完了するまで前記ファクシミリ通信の制御を禁止することを特徴とする。
【０００８】
また、請求項２の発明は、請求項１の発明において、前記地域指定手段に対する地域の指定は、指定する地域を示すランダムな数字で示された地域コード、または自局電話番号を入力することであることを特徴とする。
【０００９】
また、請求項３の発明は、請求項１の発明において、ネットワークに接続するネットワーク接続手段と、前記ネットワーク接続手段を介して前記ネットワーク上の外部サーバから指定地域に対応する情報を取得する情報取得手段とを更に具備し、前記地域設定手段は、前記情報取得手段で取得した指定地域に対応する情報に基づいて地域設定を行うことを特徴とする。
【００１０】
また、請求項４の発明は、請求項１の発明において、前記地域設定手段による地域設定の完了後、前記ファクシミリ通信手段にテスト通信を行わせることで正常に前記ファクシミリ通信が行えるかを確認する確認手段を更に具備することを特徴とする。
【００１１】
また、請求項５の発明は、地域毎に異なる電話通信規格に対応し、電話回線を介して画像データをファクシミリ通信により送受信するファクシミリ通信装置の地域設定方法において、前記ファクシミリ通信の制御を行うファクシミリ通信制御手段は地域設定が完了するまで前記ファクシミリ通信の制御を禁止し、地域設定手段は、地域指定手段で指定された指定地域に対応する通信パラメータを地域毎の電話通信規格に適合する通信パラメータを保管する地域別通信パラメータ保管手段から取得し、前記取得した通信パラメータに基づいて地域設定を行うことを特徴とする。
【００１２】
また、請求項６の発明は、請求項５の発明において、前記地域指定手段に対する地域の指定は、指定する地域を示すランダムな数字で示された地域コード、または自局電話番号を入力することであることを特徴とする。
【００１３】
また、請求項７の発明は、請求項５の発明において、情報取得手段は、ネットワーク接続手段を介してネットワーク上の外部サーバから指定地域に対応する情報を取得し、前記地域設定手段は、前記情報取得手段で取得した指定地域に対応する情報に基づいて地域設定を行うことを特徴とする。
【００１４】
また、請求項８の発明は、請求項５の発明において、確認手段は、前記地域設定手段による地域設定の完了後、前記ファクシミリ通信手段にテスト通信を行わせることで正常に前記ファクシミリ通信が行えるかを確認することを特徴とする。
【発明の効果】
【００１５】
本発明によれば、一般ユーザでも容易且つ確実にファクシミリ通信装置の地域設定を行うことが可能になることで、ファクシミリ通信装置の一般ユーザによる設置が可能になるという効果を奏する。
【発明を実施するための最良の形態】
【００１６】
以下、本発明に係るネットワーク通信装置およびその地域設定方法の実施の形態について添付図面を参照して詳細に説明する。
【００１７】
図１は、本発明を適用したマルチファンクション装置１のハードウェア構成の一例を示す図である。
【００１８】
図１に示すように、マルチファンクション装置１は、マルチファンクションコントロール部２とプリンタモジュール部３とスキャナモジュール部４とファクシミリモジュール部５とを具備して構成され、プリンタモジュール部３、スキャナモジュール部４、ファクシミリモジュール部５およびＵＩ部６は、インターフェース７（以後、Ｉ／Ｆと称する）によってマルチファンクションコントロール部２と接続されている。
【００１９】
マルチファンクションコントロール部２は、各モジュール部を効率良く制御するとともに、ネットワークプリント機能およびネットワークスキャナ機能を制御する。具体的には、制御用のＣＰＵ８１と、ＣＰＵ８１の動作プログラムを記憶するＲＯＭ９１・ＲＡＭ１０１と、ＩＰ網・ＬＡＮ等のネットワークに接続するためのＬＡＮインターフェース１１と、入出力用データを格納するデータ蓄積用メモリ１２とを具備して構成され、これらはシステムバス１３１によって相互に接続している。
【００２０】
プリンタモジュール部３は、マルチファンクションコントロール部２のデータ蓄積用メモリ１２に蓄積されたデータを用紙に印刷する。
【００２１】
スキャナモジュール部４は、原稿を光学的に読み取り、読み取った画像データはマルチファンクションコントロール部２のデータ蓄積用メモリ１２に蓄積する。
【００２２】
ＵＩ部６は、マルチファンクション装置１のメニュー画面、メッセージ等を表示するディスプレイと、入力事項を入力するためのハードウェアキーとから構成されるもの、または表示および入力の機能を兼ね備えたタッチパネル方式から構成されるものである。
【００２３】
ファクシミリモジュール部５は、マルチファンクションコントロール部２と連携をとって電話回線経由のファクシミリ通信機能およびネットワーク経由のファクシミリ通信機能を制御する。
【００２４】
具体的には、ファクシミリモジュール部５を制御するＣＰＵ８２と、ＣＰＵ８２の動作プログラムを記憶するＲＯＭ９２・ＲＡＭ１０２と、電話回線経由の音声信号の送受信を行う網制御部１４、スキャナモジュール部４で読み取った画像データを音声信号に変換する処理、および網制御部１４で受信した音声信号を画像データに変換する処理を行うＦＡＸＭｏｄｅｍ１５、ネットワーク経由のファクシミリ送信を行う際にＦＡＸＭｏｄｅｍ１５で画像データから変換された音声信号を符号化してパケット信号に変換する処理、およびネットワーク経由のファクシミリ受信を行う際にマルチファンクションコントロール部２のＬＡＮインターフェースで受信したパケット信号を復号化して音声信号に変換する処理を行うＣｏｄｅｃ部１６とを具備して構成され、これらはシステムバス１３２によって相互に接続している。
【００２５】
図２は、マルチファンクション装置１の機能的な構成の一例を示す図である。なお、ここでは、本発明に係わる構成要素のみを挙げて説明する。
【００２６】
図２に示すように、マルチファンクション装置１は、指定国情報受付部１７、国設定部１８、国別パラメータテーブル１９、確認部２０、ファクシミリ通信制御部２１を具備して構成される。
【００２７】
指定国情報受付部１７は、ＵＩ部６から入力された国コード、サービスセンターのサーバからの指定国の通信パラメータ（例えば、回路電流検出タイミング、回路電流検出有効時間、回路電流ノイズ最大時間等）等の指定国情報を受け付ける処理を行う。
【００２８】
国別パラメータテーブル１９は、国毎に通信パラメータを保管している。
【００２９】
国設定部１８は、指定国情報受付部１７で受け付けた指定国情報に基づき、国別パラメータテーブル１９から指定国の通信パラメータを取得し、指定国の通信パラメータの設定（即ち、国設定）の処理を行う。
【００３０】
確認部２０は、国設定部１８で国設定した通信パラメータでファクシミリ通信が行えるかを、コールセンターとファクシミリ通信を行うことで確認する処理を行う。
【００３１】
ファクシミリ通信制御部２１は、網制御部１４を経由するファクシミリ通信の制御する処理を行う。なお、国設定部１８による国設定が完了するまでファクシミリ通信は禁止されている。
【００３２】
マルチファンクション装置１のファクシミリ通信機能の国設定を行う方法として、ユーザがＵＩ部６から入力した国コードに基づいて国設定を行う方法がある。なお、ハードキーによって国コードを入力する場合、国コードをランダムな数字にすることで、ユーザの押し間違えによる他国への誤設定を防止することができる。また、タッチパネル方式のＵＩ部６では国名をソフトウェアボタンとして表示し、ユーザが指定国のソフトウェアボタンを押下することで、他国への誤設定を防止することができる。
【００３３】
なお、国設定は国単位の設定に限らず、例えば、隣国同士で共通の電話通信規格を使用している場合は複数の国を跨る地域で設定することも可能であり、また、同じ国でも電話通信規格が異なる地域が分布している場合は国の中に分布する地域で設定することも可能である。
【００３４】
次に、ユーザがＵＩ部から入力した国コードに基づいて国設定を行う場合にマルチファンクション装置で行われる国設定処理の手順について図３に示すフローチャートを参照して説明する。
【００３５】
マルチファンクション装置の設置後（または、設定データクリア後）の最初の電源ＯＮが行われると（ステップＳ３０１）、ＵＩ部が国設定を促すメッセージを表示し（ステップＳ３０２）、ユーザがＵＩ部から国コードを入力すると（ステップＳ３０３）、指定国情報受付部が入力された国コードが有効であるか否か確認し（ステップＳ３０４）、国コードが有効である場合（ステップＳ３０４でＹＥＳ）、ステップＳ３０５に進み、また、国コードが無効である場合（ステップＳ３０４でＮＯ）、ステップＳ３０２に戻る。
【００３６】
国コードが有効である場合（ステップＳ３０４でＹＥＳ）、国設定部がその国の通信パラメータを国別パラメータテーブルから読み出して設定し（ステップＳ３０５）、ＵＩ部が国設定の完了のメッセージを表示し（ステップＳ３０６）、マルチファンクション装置のファクシミリ通信の使用制限を解除し（ステップＳ３０７）、国設定処理の手順を終了する。
【００３７】
なお、ステップＳ３０３において、自局電話番号を入力することで、その電話番号から自動的に指定国を判断して自動的に国設定を行う構成も適用可能である。
【００３８】
なお、ステップＳ３０３において、指定国のソフトウェアボタンが押下された場合はステップＳ３０４の国コードの有効の確認を行う必要はない。
【００３９】
また、国設定を行う前でのファクシミリ通信の使用を禁止し、国設定が完了した時点でステップＳ３０７のようにファクシミリ通信の使用制限を解除することで、異なる国設定の状態でファクシミリ通信を行ってＰＴＴ規格違反となることを防止する。
【００４０】
マルチファンクション装置のファクシミリ通信機能の国設定を行う方法として、ユーザがサービスセンター等に電話してユーザ登録を行う、またはＰＣ等からマルチファンクション装置のメーカーサイトにアクセスしてユーザ登録を行うことで、サービスセンターからソフトキーがユーザに通知（例えば、電子メール、郵送等）され、ユーザがＵＩ部から入力したソフトキーに基づいて国設定を行う方法がある。
【００４１】
次に、ユーザがＵＩ部から入力したユーザ登録によって通知されたソフトキーに基づいて国設定を行う場合にマルチファンクション装置で行われる国設定処理の手順について図４に示すフローチャートを参照して説明する。
【００４２】
マルチファンクション装置の設置後（または、設定データクリア後）の最初の電源ＯＮが行われると（ステップＳ４０１）、ＵＩ部がユーザ登録を促すメッセージを表示し（ステップＳ４０２）、ユーザがユーザ登録を実施し（ステップＳ４０３）、ユーザにソフトキーが通知され（ステップＳ４０４）、ユーザがソフトキーから国コードを入力すると（ステップＳ４０５）、指定国情報受付部が入力されたソフトキーが国設定のソフトキーであるか否か確認し（ステップＳ４０６）、国設定のソフトキーではない場合（ステップＳ４０６でＮＯ）、ステップＳ４０７に進み、また、国設定のソフトキーである場合（ステップＳ４０６でＹＥＳ）、ステップＳ４０８に進む。
【００４３】
国設定のソフトキーではない場合（ステップＳ４０６でＮＯ）、ＵＩ部がソフトキーの確認を促すメッセージを表示し（ステップＳ４０７）、ステップＳ４０５に進む。
【００４４】
国設定のソフトキーである場合（ステップＳ４０６でＹＥＳ）、国設定部がその国の通信パラメータを国別パラメータテーブルから読み出して設定し（ステップＳ４０８）、ＵＩ部が国設定の完了のメッセージを表示し（ステップＳ４０９）、マルチファンクション装置のファクシミリ通信の使用制限を解除し（ステップＳ４１０）、国設定処理の手順を終了する。
【００４５】
マルチファンクション装置のファクシミリ通信機能の国設定を行う方法として、ネットワークを介してサービスセンター等のサーバから指定国の通信パラメータをダウンロードして国設定を行う方法がある。
【００４６】
次に、ネットワークを介してサービスセンターのサーバからダウンロードした指定国の通信パラメータに基づいて国設定を行う場合にマルチファンクション装置で行われる国設定処理の手順について図５に示すフローチャートを参照して説明する。
【００４７】
マルチファンクション装置の設置後（または、設定データクリア後）の最初の電源ＯＮが行われると（ステップＳ５０１）、ＵＩ部がネットワークの設定を促すメッセージを表示し（ステップＳ５０２）、ユーザがネットワーク接続を実施し（ステップＳ５０３）、ＬＡＮインターフェースが正常にネットワークに接続しなかった場合（ステップＳ５０３でＮＯ）、ステップＳ５０４に進み、また、ＬＡＮインターフェースが正常にネットワークに接続した場合（ステップＳ５０３でＹＥＳ）、ステップＳ５０５に進む。
【００４８】
ＬＡＮインターフェースが正常にネットワークに接続しなかった場合（ステップＳ５０３でＮＯ）、ＵＩ部がネットワークの再設定を促すメッセージを表示し（ステップＳ５０４）、ステップＳ５０３に進む。
【００４９】
ＬＡＮインターフェースが正常にネットワークに接続した場合（ステップＳ５０３でＹＥＳ）、ネットワークを介してサービスセンターのサーバからその国の通信パラメータをダウンロードし（ステップＳ５０５）、国設定部がダウンロードしたその国の通信パラメータを設定し（ステップＳ５０６）、ＵＩ部が国設定の完了のメッセージを表示し（ステップＳ５０７）、マルチファンクション装置のファクシミリ通信の使用制限を解除し（ステップＳ５０８）、国設定処理の手順を終了する。
【００５０】
なお、ステップＳ５０５においてサービスセンターのサーバからその国の国コードをダウンロードした場合は、ステップＳ５０６において国設定部がその国の通信パラメータを国別パラメータテーブルから読み出して設定する。
【００５１】
マルチファンクション装置のファクシミリ通信機能の国設定を行う方法として、国設定が完了した後にその国設定で実際にコールセンターとテスト通信を行うことで国設定に間違いがないか確認することができる。
【００５２】
次に、国設定が完了した後にコールセンターにファクシミリ送信することで国設定の確認を行う場合にマルチファンクション装置で行われる国設定処理の手順について図６に示すフローチャートを参照して説明する。
【００５３】
国設定部が国設定を完了すると（ステップＳ６０１）、ＵＩ部がコールセンターへのファクシミリ通信の指示を表示し（ステップＳ６０２）、ファクシミリ通信制御部が設定された通信パラメータを用いたコールセンターへのファクシミリ通信を開始し（ステップＳ６０３）、確認部がコールセンターと正常にファクシミリ通信ができるか否か確認し（ステップＳ６０４）、コールセンターと正常にファクシミリ通信ができる場合（ステップＳ６０４でＹＥＳ）、ステップＳ６０５に進み、また、コールセンターと正常にファクシミリ通信ができない場合（ステップＳ６０４でＮＯ）、ステップＳ６０６に進む。
【００５４】
コールセンターと正常にファクシミリ通信ができる場合（ステップＳ６０４でＹＥＳ）、ＵＩ部が正常なファクシミリ通信が確認できたことを表示し（ステップＳ６０５）、国設定処理の手順を終了する。
【００５５】
コールセンターと正常にファクシミリ通信ができない場合（ステップＳ６０４でＮＯ）、ＵＩ部が正常なファクシミリ通信が確認できなかったことを表示し（ステップＳ６０６）、国設定処理の手順を終了する。
【００５６】
次に、国設定が完了した後にコールセンターからファクシミリ受信することで国設定の確認を行う場合にマルチファンクション装置で行われる国設定処理の手順について図７に示すフローチャートを参照して説明する。
【００５７】
国設定部が国設定を完了すると（ステップＳ７０１）、ＵＩ部がコールセンターへの連絡の指示を表示し（ステップＳ７０２）、ユーザがコールセンターにマルチファンクション装置のファクシミリ番号を通知（例えば、電話、電子メール、郵送等）し（ステップＳ７０３）、コールセンターからファクシミリ通信を受信すると（ステップ７０４）、ファクシミリ通信制御部が設定された通信パラメータを用いたコールセンターからのファクシミリ通信を開始し（ステップＳ７０４）、確認部がコールセンターと正常にファクシミリ通信ができるか否か確認し（ステップＳ７０５）、コールセンターと正常にファクシミリ通信ができる場合（ステップＳ７０５でＹＥＳ）、ステップＳ７０６に進み、また、コールセンターと正常にファクシミリ通信ができない場合（ステップＳ７０５でＮＯ）、ステップＳ７０７に進む。
【００５８】
コールセンターと正常にファクシミリ通信ができる場合（ステップＳ７０５でＹＥＳ）、ＵＩ部が正常なファクシミリ通信が確認できたことを表示し（ステップＳ７０６）、国設定処理の手順を終了する。
【００５９】
コールセンターと正常にファクシミリ通信ができない場合（ステップＳ７０５でＮＯ）、ＵＩ部が正常なファクシミリ通信が確認できなかったことを表示し（ステップＳ７０７）、国設定処理の手順を終了する。
【００６０】
本発明は、上記し、且つ図面に示した実施例に限定することなく、その要旨を変更しない範囲内で適宜変形して実施できるものである。
【図面の簡単な説明】
【００６１】
【図１】本発明を適用したマルチファンクション装置１のハードウェア構成の一例を示す図である。
【図２】マルチファンクション装置１の機能的な構成の一例を示す図である。なお、ここでは、本発明に係わる構成要素のみを挙げて説明する。
【図３】ユーザがＵＩ部から入力した国コードに基づいて国設定を行う場合にマルチファンクション装置で行われる国設定処理の手順を示すフローチャートである。
【図４】ユーザがＵＩ部から入力したユーザ登録によって通知されたソフトキーに基づいて国設定を行う場合にマルチファンクション装置で行われる国設定処理の手順を示すフローチャートである。
【図５】ネットワークを介してサービスセンターのサーバからダウンロードした指定国の通信パラメータに基づいて国設定を行う場合にマルチファンクション装置で行われる国設定処理の手順を示すフローチャートである。
【図６】国設定が完了した後にコールセンターにファクシミリ送信することで国設定の確認を行う場合にマルチファンクション装置で行われる国設定処理の手順を示すフローチャートである。
【図７】国設定が完了した後にコールセンターからファクシミリ受信することで国設定の確認を行う場合にマルチファンクション装置で行われる国設定処理の手順を示すフローチャートである。
【符号の説明】
【００６２】
１    マルチファンクション装置
２    マルチファンクションコントロール部
３    プリンタモジュール部
４    スキャナモジュール部
５    ファクシミリモジュール部
６    ＵＩ部
７    Ｉ／Ｆ
８１、８２    ＣＰＵ
９１、９２    ＲＯＭ
１０１、１０２    ＲＡＭ
１１  ＬＡＮインターフェース
１２    データ蓄積用メモリ
１３１、１３２    システムバス
１４    網制御部
１５    ＦＡＸＭｏｄｅｍ
１６    Ｃｏｄｅｃ部
１７    指定国情報受付部
１８    国設定部
１９    国別パラメータテーブル
２０    確認部
２１    ファクシミリ通信制御部
【図１】
2008011353.tif 000003
【図２】
2008011353.tif 000004
【図３】
2008011353.tif 000005
【図４】
2008011353.tif 000006
【図５】
2008011353.tif 000007
【図６】
2008011353.tif 000008
【図７】
2008011353.tif 000009